(57)【特許請求の範囲】
【請求項１】
６角形又は８角形以上の蓋面板２の、前後左右斜めの各辺に、側面板３ ,３ ,３ ,…を折り目線を介して連設して、これらの側面板３ ,３ ,３ ,…の、相対する縦辺のどちらか一方の各縦辺に、貼着片４ ,４ ,４ ,…を折り目線を介して連設して成る、かぶせ蓋状の６角形又は８角形以上の紙製蓋体と上部が６角形又は８角形以上の紙製カップ容器からなる多角形の紙製容器において、紙製蓋体の蓋面板２の中央部に、蓋面板２を浮き上げた台形状の６角形又は８角形以上の浮上げ部２ａを設けて、中央部の浮上げ部２ａとその周辺部の蓋面板２との間には、浮上げ部２ａが蓋面板２より３〜５ｍｍ程度高くなるような幅からなる浮上げ補助部ａを設け、浮上げ部２ａと浮上げ補助部ａは山折線、浮上げ補助部ａと周辺部の蓋面板２は谷折線、周辺部の蓋面板２と側面板３は山折線を介して設けられており、この浮上げ部２ａの各角隅と周辺部の蓋面板２の各角隅とを結ぶ位置に、押し罫線ｂ ,ｂ ,ｂ ,…を設けたことを特徴とする多角形の紙製容器。
【請求項２】
請求項１に記載の多角形の紙製容器において、側面板３ ,３ ,３ ,…の各下辺に、上下幅が側面板３より狭い折込み片５ ,５ ,５ ,…を折り目線を介して連設したことを特徴とする多角形の紙製容器。
【請求項３】
請求項１又は請求項２に記載の多角形の紙製容器において、少なくとも側面板３ ,３ ,３ ,…と貼着片４ ,４ ,４ ,…と折込み片５ ,５ ,５ ,…との内面側に、熱接着層を設けたことを特徴とする多角形の紙製容器。
【請求項４】
請求項１又は請求項２に記載の多角形の紙製容器において、全ての板 ,片の内面側に、耐水性などを有する熱融着性樹脂層を設けたことを特徴とする多角形の紙製容器。
【発明の詳細な説明】
【０００１】
【発明の属する技術分野】
本発明は、主にアイスクリームなどや即席食品類やキャンデー類などを収容する、上部が多角形の紙カップ容器２０や適宜の多角形の紙製箱体３０などに台形状の多角形の浮上げ部ａを設けた多角形の紙製蓋体を被せて用いる多角形の紙製容器に関する。
【０００２】
【従来の技術】
従来から、図２に示すような、絵柄状などの浮上げ部２ａを設けた、例えば６角形の蓋面板２の、前後斜めの各辺に、側面板３ ,３ ,３ ,…を折り目線( 符号がない１点鎖線、以下同じ )を介して連設して、これらの側面板３ ,３ ,３ ,…の、相対する縦辺のどちらか一方の各縦辺に、貼着片４ ,４ ,４ ,…を折り目線を介して連設して、それぞれの側面板３の端部と貼着片４とを貼着した、図２Ｂ ,Ｃに示すかぶせ蓋状の６角形又は８角形以上の紙製蓋体が、図２Ｃに示すように、即席食品類やキャンデー類などを収容する、例えば６角形の底面板３２と側面板３３ ,３３ ,３３ ,…とを連設して成る、適宜の６角形又は８角形以上の紙製箱体３０などに被せて、一般に広く用いられている。
【０００３】
また従来から、図３に示すような、ドーナツ状などの浮上げ部２ａを設けた円形の蓋面板２の、全周辺に、リング状の側面板３と、幅がリング状の側面板３より狭いリング状の折込み片５とを、折り目線を介して順に連設して、この側面板３と折込み片５とに、放射状の多数の押し罫線ｂ ,ｂ ,ｂ ,…を設けて、この押し罫線ｂ ,ｂ ,ｂ ,…部分を縮めながら側面板３を折下げて、また押し罫線ｂ ,ｂ,ｂ ,…部分を縮めながら折込み片５を折込んで、それぞれリング状の側面板３と折込み片５とを貼着した、図３Ｂ ,Ｃに示すかぶせ蓋状の円形の紙製蓋体が、図３Ｃに示すように、主にアイスクリームなどを収容する、通常の円形の紙カップ容器２０などに被せて、紙製蓋体の内側の、折込み片５の上部の嵌合凹溝ｃに紙カップ容器２０のフランジ２２を嵌合して、一般に広く用いられている。
【０００４】
【発明が解決しようとする課題】
ところが従来の、適宜の６角形又は８角形以上の紙製箱体３０などに被せて用いる、図２に示すかぶせ蓋状の６角形又は８角形以上の紙製蓋体については、かぶせ蓋状の６角形又は８角形以上の形状が新奇であって、展示効果などが優れた多角形の紙製蓋体であるものの、例えば６角形の蓋面板２に設けた、絵柄状などの浮上げ部２ａの高さが、せいぜい１ .０〜１ .５ｍｍ程度であるために、浮上げ部２ａの顧客にアピールする力などが、やゝ不満足なものであった。
【０００５】
また従来の、通常の円形の紙カップ容器２０などに被せて用いる、図３に示すかぶせ蓋状の円形の紙製蓋体については、通常の円形の紙カップ容器２０などに被せるだけで、簡単に紙製蓋体の内側の、折込み片５の上部の嵌合凹溝ｃに紙カップ容器２０のフランジ２２を嵌合して閉蓋することができる、かぶせ蓋状の円形の形状が新奇であって、展示効果などが優れた円形の紙製蓋体であるものの、リング状の側面板３に設けた、縮めながら折下げた放射状( 図３Ｂでは上下方向)の多数の押し罫線ｂ ,ｂ ,ｂ ,…が目立つ上に、円形の蓋面板２に設けた、ドーナツ状などの浮上げ部２ａの高さが、せいぜい０ .５〜１ .０ｍｍ程度であるために、浮上げ部２ａの蓋面板２を保形する力や顧客にアピールする力などが、やゝ不満足なものであった。
【０００６】
なお、絵柄状などの浮上げ部２ａの高さを、そのまま３〜５ｍｍ程度にまで高くした場合、あるいはドーナツ状などの浮上げ部２ａの高さを、そのまま３〜５ｍｍ程度にまで高くした場合には、それぞれの板紙などの繊維の伸びに限界があるために、浮上げ部２ａの角隅部分や周辺部分などの繊維が伸縮するなどして皺が発生して、それぞれの紙製蓋体の展示効果などを損なう恐れがあった。
【０００７】
そこで、本発明の目的は、主にアイスクリームなどや即席食品類やキャンデー類などを収容する、上部が多角形の紙カップ容器２０や適宜の多角形の紙製箱体３０などに被せて用いる、顧客に強くアピールすることができる、高さが３〜５ｍｍ程度の台形状の多角形の浮上げ部２ａを設けた、展示効果などが優れた、多角形の紙製蓋体を被せて用いる紙製容器を提供することにある。
【０００８】
【課題を解決するための手段】
本発明の多角形の紙製容器は、図１に示すように、６角形又は８角形以上( 図１Ａ ,Ｂでは８角形、以下同じ )の蓋面板２の、前後左右斜めの各辺に、側面板３ ,３ ,３ ,…を折り目線を介して連設して、これらの側面板３ ,３ ,３ ,…の、相対する縦辺のどちらか一方の各縦辺に、貼着片４ ,４ ,４ ,…を折り目線を介して連設して成る、かぶせ蓋状の６角形又は８角形以上の紙製蓋体と上部が６角形又は８角形以上の紙製カップ容器からなる多角形の紙製容器において、紙製蓋体の蓋面板２の中央部に、蓋面板２を浮き上げた台形状の６角形又は８角形以上の浮上げ部２ａを設けて、中央部の浮上げ部２ａとその周辺部の蓋面板２との間には、浮上げ部２ａが蓋面板２より３〜５ｍｍ程度高くなるような幅からなる浮上げ補助部ａを設け、浮上げ部２ａと浮上げ補助部ａは山折線、浮上げ補助部ａと周辺部の蓋面板２は谷折線、周辺部の蓋面板２と側面板３は山折線を介して設けられており、この浮上げ部２ａの各角隅と周辺部の蓋面板２の各角隅とを結ぶ位置に、押し罫線ｂ ,ｂ ,ｂ ,…を設けたことを特徴とする多角形の紙製容器である。
【０００９】
本発明の多角形の紙製容器においては、６角形又は８角形以上の蓋面板２の、前後左右斜めの各辺に、側面板３ ,３ ,３ ,…を折り目線を介して連設して、これらの側面板３ ,３ ,３ ,…の、相対する縦辺のどちらか一方の各縦辺に、貼着片４ ,４ ,４ ,…を折り目線を介して連設して、それぞれの側面板３の端部と貼着片４とを貼着した、図１Ｂ ,Ｃに示すかぶせ蓋状の６角形又は８角形以上の紙製蓋体を被せて用いるものであって、図１Ｃ( 図３Ｃ )に示すように、主にアイスクリームなどを収容する、上部が６角形又は８角形以上の紙カップ容器２０などに被せて用いる、また図２Ｃに示すように、即席食品類やキャンデー類などを収容する、例えば８角形の底面板３２と側面板３３ ,３３ ,３３ ,…とを連設して成る、適宜の６角形又は８角形以上の紙製箱体３０などに被せて用いる、かぶせ蓋状の６角形又は８角形以上の形状が新奇であって、展示効果などが優れた多角形の紙製蓋体を得ることができる。
【００１０】
また、本発明の多角形の紙製容器においては、前述した図１Ｂ ,Ｃに示すかぶせ蓋状の６角形又は８角形以上の紙製蓋体において、蓋面板２の中央部に、台形状の６角形又は８角形以上の浮上げ部２ａを設けて、この浮上げ部２ａの各角隅と蓋面板２の各角隅とを結ぶ位置に、押し罫線ｂ ,ｂ ,ｂ ,…を設けたことによって、この押し罫線ｂ ,ｂ ,ｂ ,…の働きで、顧客に強くアピールすることができる、高さが３〜５ｍｍ程度の台形状の多角形の浮上げ部２ａを設けた多角形の紙製蓋体を得ることができる。
【００１１】
すなわち、蓋面板２の中央部に設けた、高さが３〜５ｍｍ程度の台形状の６角形又は８角形以上の浮上げ部２ａが、歪みなどを防止して、蓋面板２を良好に保形するとともに、高さが３〜５ｍｍ程度の浮上げ作業にともなう、特に角隅部分の板紙などの繊維の伸びの限界を、浮上げ部２ａの各角隅と蓋面板２の各角隅とを結ぶ押し罫線ｂ ,ｂ ,ｂ ,…部分が縮まることで吸収して、繊維が伸縮するなどして皺が発生することを少なくした、顧客に強くアピールすることができる、高さが３〜５ｍｍ程度の台形状の多角形の浮上げ部２ａを設けることができる。
【００１２】
加えて、本発明の多角形の紙製容器は、前述した多角形の紙製蓋体において、図１Ａ ,Ｃに示すように、側面板３ ,３ ,３ ,…の( 図１Ａでは前後左右斜めの)各下辺に、上下幅が側面板３より狭い折込み片５ ,５ ,５ ,…を折り目線を介して連設したことを特徴とする多角形の紙製蓋体である。
【００１３】
本発明の多角形の紙製容器においては、前述した図１Ｂ ,Ｃに示すかぶせ蓋状の６角形又は８角形以上の紙製蓋体において、側面板３ ,３ ,３ ,…の各下辺に、上下幅が側面板３より狭い折込み片５ ,５ ,５ ,…を折り目線を介して連設したことによって、側面板３ ,３ ,３ ,…の内面側に折込み片５ ,５ ,５ ,…を折込んで、それぞれの側面板３と折込み片５とを貼着して、側面板３ ,３ ,３ ,…を補強するとともに、上下幅が側面板３より狭い折込み片５ ,５ ,５ ,…の上部に、図１Ｃに示す嵌合凹溝ｃを形成したものであって、図１Ｃに示すように、主にアイスクリームなどを収容する、上部が６角形又は８角形以上の紙カップ容器２０などに被せるだけで、簡単に紙製蓋体の内側の、折込み片５ ,５ ,５ ,…の上部の嵌合凹溝ｃに紙カップ容器２０のフランジ２２を嵌合して閉蓋することができる、閉蓋 ,開蓋などが容易な多角形の紙製蓋体を得ることができる。
【００１４】
また加えて、本発明の多角形の紙製容器は、前述した多角形の紙製蓋体において、少なくとも側面板３ ,３ ,３ ,…と貼着片４ ,４ ,４ ,…と折込み片５ ,５,５ ,…との内面側に、図示していない熱接着層を設けたことを特徴とする多角形の紙製蓋体である。
【００１５】
本発明の多角形の紙製蓋体においては、前述した図１Ｂ ,Ｃに示すかぶせ蓋状の６角形又は８角形以上の紙製蓋体において、少なくとも側面板３ ,３ ,３ ,…と貼着片４ ,４ ,４ ,…と折込み片５ ,５ ,５ ,…との内面側に、通常のヒートシールラッカーなどの熱接着層を設けたことによって、前述したそれぞれの側面板３の端部と貼着片４とを貼着する時に、また前述したそれぞれの側面板３と折込み片５とを貼着する時に、それぞれ接着剤などを用いる必要がなくて、通常の板紙用の１つ又は２つの熱圧着工程で、簡単にかぶせ蓋状の多角形の紙製蓋体を作製することができる。
【００１６】
なお、前述した図１Ｂ ,Ｃに示すかぶせ蓋状の６角形又は８角形以上の紙製蓋体の、蓋面板２の内面側については、後述する約５０〜１００℃の雌雄の加熱金型を用いた浮上げ工程で、蓋面板２の中央部に、台形状の６角形又は８角形以上の浮上げ部２ａを設けることが多いために、通常のヒートシールラッカーなどの熱接着層を設けることは、好ましくない。
【００１７】
さらに加えて、本発明の多角形の紙製容器は、前述した多角形の紙製蓋体において、全ての板 ,片の内面側に、図示していない耐水性などを有する熱融着性樹脂層を設けたことを特徴とする多角形の紙製蓋体である。
【００１８】
本発明の多角形の紙製容器においては、前述した図１Ｂ ,Ｃに示すかぶせ蓋状の６角形又は８角形以上の紙製蓋体において、全ての板 ,片の内面側に、１５〜３０μｍ程度の通常のポリエチレンやポリプロピレンなどの、耐水性などを有する熱融着性樹脂層を設けたことによって、前述した通常のヒートシールラッカーなどの熱接着層を設けた場合と同様に、通常の板紙用の１つ又は２つの熱圧着工程で、簡単にかぶせ蓋状の多角形の紙製蓋体を作製することができる上に、図１Ｃに示すように、主にアイスクリームなどを収容した、上部が６角形又は８角形以上の紙カップ容器２０などに被せた時に、かぶせ蓋状の６角形又は８角形以上の紙製蓋体の全ての板 ,片の内面側に、耐水性などを有しているために、そのまま冷蔵するなどして、衛生的に流通販売することができる。
【００１９】
なお、前述した図１Ｂ ,Ｃに示すかぶせ蓋状の６角形又は８角形以上の紙製蓋体の、耐水性などを有する熱融着性樹脂層を設けた蓋面板２の内面側については、通常のポリエチレンやポリプロピレンなどに、９０〜１２０℃程度の耐熱性があるために、後述する約５０〜１００℃の雌雄の加熱金型を用いた浮上げ工程で、蓋面板２の中央部に、台形状の６角形又は８角形以上の浮上げ部２ａを、特に支障なく設けることができる。
【００２０】
【発明の実施の形態】
本発明の多角形の紙製容器については、後述する実施例に示すように、表面に美麗な印刷をして、内面側に熱融着性樹脂層を設けた適宜の板紙などを用いて、押し罫線ｂ ,ｂ ,ｂ ,…部分の幅を、通常の折り目線より少し広げた打抜型を用いた打抜工程で、無駄が少ない長方形状の多角形の紙製蓋体のブランクを作製して、雌雄の加熱金型を用いた浮上げ工程で、高さが３〜５ｍｍ程度の台形状の多角形の浮上げ部２ａを設けた後に、通常の板紙用の熱圧着工程で、それぞれの側面板３の端部と貼着片４とを熱圧着して、続いてそれぞれの側面板３と折込み片５とを熱圧着して、簡単にかぶせ蓋状の多角形の紙製蓋体を作製する、工程が簡単で作製費用が廉価な多角形の紙製蓋体を提供することができる。
【００２１】
【実施例】
図１Ａは、本発明の実施例における多角形の紙製蓋体のブランクの平面図であって、図１Ｂ ,Ｃは、かぶせ蓋状の多角形の紙製蓋体の斜視図 ,断面図である。
【００２２】
すなわち、８角形の蓋面板２の、前後左右斜めの各辺に、側面板３ ,３ ,３ ,…と、上下幅が側面板３より１ .５ｍｍ狭い折込み片５ ,５ ,５ ,…とを、折り目線を介して順に連設して、これらの側面板３ ,３ ,３ ,…の、相対する縦辺のどちらか一方の各縦辺に、貼着片４ ,４ ,４ ,…を折り目線を介して連設して、図１Ａに破線で示す浮上げ部２ａの各角隅と蓋面板２の各角隅とを結ぶ位置に、押し罫線ｂ ,ｂ ,ｂ ,…を設けた、図１Ａに示す多角形の紙製蓋体のブランクであって、表面に美麗な印刷をして、内面側に２０μｍの通常のポリプロピレン樹脂層を設けた３２０ｇ／ｍ２  の裏白コートマニラ紙を用いて、押し罫線ｂ ,ｂ ,ｂ ,…部分の幅を、縮まり易いように、通常の折り目線より少し( ０ .７ｍｍを１ .０ｍｍに )広げた打抜型を用いた打抜工程で、無駄が少ない長方形状の多角形の紙製蓋体のブランクを作製した。
【００２３】
次に、約５０〜１００℃の雌雄の加熱金型を用いた浮上げ工程で、図１Ａに示す多角形の紙製蓋体のブランクの、蓋面板２の中央部に、顧客に強くアピールすることができる、高さが５ｍｍ程度の、台形状の８角形の浮上げ部２ａを設けた後に、通常の板紙用の熱圧着工程で、図１Ａに示す多角形の紙製蓋体のブランクの、全ての符号がない折り目線を山折りして、それぞれの側面板３の端部と貼着片４とを、接着剤などを用いないで熱圧着して、続いて側面板３ ,３ ,３ ,…の内面側に折込み片５ ,５ ,５ ,…を折込んで、それぞれの側面板３と折込み片５とを、接着剤などを用いないで熱圧着して、縦 ,横 ,高さが、１つの例として、例えば６５×９０×１０ｍｍの、図１Ｂ ,Ｃに示すかぶせ蓋状の多角形の紙製蓋体を作製した。
【００２４】
続いて、機械的なアイスクリームの充填工程で、図１Ｂ ,Ｃに示すかぶせ蓋状の多角形の紙製蓋体を、１２５ｍｌのアイスクリームを収容した、上部が８角形で下部が丸みを帯びた８角形の紙カップ容器２０に被せたところ、図１Ｃに示すように、簡単に紙製蓋体の内側の、折込み片５ ,５ ,５ ,…の上部の１ .５ｍｍ幅の嵌合凹溝ｃに紙カップ容器２０のフランジ２２が嵌合して閉蓋して、しかも紙製蓋体の全ての板 ,片の内面側に、耐水性などを有するポリプロピレン樹脂層を設けたために、そのまま冷蔵するなどして、衛生的に流通販売することができる、本実施例の多角形の紙製蓋体を得ることができた。
【００２５】
本発明の実施例における、多角形の紙製蓋体においては、アイスクリームなどを収容する、図１Ｃに示す上部が８角形の紙カップ容器２０などに被せて用いる、また即席食品類やキャンデー類などを収容する、８角形の底面板３２と側面板３３ ,３３ ,３３ ,…とを連設して成る、図示していない適宜の８角形の紙製箱体３０などに被せて用いる、かぶせ蓋状の多角形( ８角形 )の形状が新奇であって、蓋面板２の中央部に、顧客に強くアピールすることができる、高さが５ｍｍ程度の台形状の８角形の浮上げ部２ａを設けて、この浮上げ部２ａの各角隅に設けた押し罫線ｂ ,ｂ ,ｂ ,…部分が縮まることで、特に角隅部分に皺が発生することを少なくした、展示効果などが優れた多角形の紙製蓋体を得ることができた。
【００２６】
【発明の効果】
以上、実施例ほかに示すとおり、本発明の多角形の紙製容器においては、主にアイスクリームなどや即席食品類やキャンデー類などを収容する、上部が多角形の紙カップ容器２０や適宜の多角形の紙製箱体３０などに被せて用いる、かぶせ蓋状の多角形の形状が新奇で、工程が簡単で作製費用が廉価な多角形の紙製蓋体を被せて用いるものであって、顧客に強くアピールすることができる、高さが３〜５ｍｍ程度の台形状の多角形の浮上げ部２ａを設けて、この浮上げ部２ａの各角隅に設けた押し罫線ｂ,ｂ ,ｂ ,…部分が縮まることで、特に角隅部分が毛羽立つことを少なくした、展示効果などが優れた多角形の紙製蓋体を被せて用いる多角形の紙製容器を提供することができる。
【図面の簡単な説明】
【図１】  本発明の実施例における、図１Ａは、多角形の紙製蓋体のブランクの平面図であって、図１Ｂ ,Ｃは、かぶせ蓋状の多角形の紙製蓋体の斜視図 ,断面図である。
【図２】  図２Ａは、従来の６角形の紙製蓋体のブランクの平面図であって、図２Ｂ ,Ｃは、従来のかぶせ蓋状の６角形の紙製蓋体の斜視図 ,断面図である。
【図３】  図３Ａは、従来の円形の紙製蓋体のブランクの平面図であって、図３Ｂ ,Ｃは、従来のかぶせ蓋状の円形の紙製蓋体の斜視図 ,断面図である。
【符号の説明】
２    …蓋面板
３    …側面板
４    …貼着片
５    …折込み片
２０  …紙カップ容器
２２  …フランジ
３０  …紙製箱体
３２  …底面板
３３  …側面板
２ａ    …浮上げ部
ａ    …浮上げ補助部
ｂ    …押し罫線
ｃ    …嵌合凹溝
【図１】
0004154862.tif 000002
【図２】
0004154862.tif 000003
【図３】
0004154862.tif 000004